(57)【特許請求の範囲】
【請求項１】
ＣＤＭＡ（Code Division Multiple Access）方式の移動通信システムに用いられる移動無線端末装置において、
送信と受信に共用する第１のアンテナを通じて受信した無線周波信号に、所定の処理を施して、第１のベースバンド信号に変換する第１の信号処理手段と、
受信専用に用いる第２のアンテナを通じて受信した無線周波信号に、所定の処理を施して、第２のベースバンド信号に変換する第２の信号処理手段と、
受信パス毎に復調を行うフィンガ手段を複数備え、これらにより前記第１のベースバンド信号に含まれるマルチパス信号に対してレイク受信を行い、複数のパスの信号について復調を行う第１のレイク受信手段と、
前記第２のベースバンド信号に含まれるマルチパス信号に対してレイク受信を行い、複数のパスの信号について復調を行う第２のレイク受信手段と、
前記第１のレイク受信手段と前記第２のレイク受信手段にてそれぞれ復調された信号を、シンボル合成するシンボル合成手段と、
前記フィンガ手段にて復調された信号のＳ／Ｎ比が、予め設定した閾値以上となるものが存在し、なおかつこのような復調信号を得るフィンガ手段の数が予め設定した数以下となる場合に、前記第２の信号処理手段へのバッテリ供給を停止して、その動作を停止させる受信制御手段とを具備することを特徴とする移動無線端末装置。
【請求項２】
ＣＤＭＡ（Code Division Multiple Access）方式の移動通信システムに用いられる移動無線端末装置において、
送信と受信に共用する第１のアンテナを通じて受信した無線周波信号に、所定の処理を施して、第１のベースバンド信号に変換する第１の信号処理手段と、
受信専用に用いる第２のアンテナを通じて受信した無線周波信号に、所定の処理を施して、第２のベースバンド信号に変換する第２の信号処理手段と、
受信パス毎に復調を行うフィンガ手段を複数備え、これらにより前記第１のベースバンド信号に含まれるマルチパス信号に対してレイク受信を行い、複数のパスの信号について復調を行う第１のレイク受信手段と、
受信パス毎に復調を行うフィンガ手段を複数備え、これらにより前記第２のベースバンド信号に含まれるマルチパス信号に対してレイク受信を行い、複数のパスの信号について復調を行う第２のレイク受信手段と、
前記第１のレイク受信手段と前記第２のレイク受信手段にてそれぞれ復調された信号を、シンボル合成するシンボル合成手段と、
前記フィンガ手段にて復調された信号のＳ／Ｎ比が、予め設定した閾値以上となるものが存在し、なおかつこのような復調信号を得るフィンガ手段の数が予め設定した数以下となる場合に、前記第２の信号処理手段へのバッテリ供給を停止して、その動作を停止させる受信制御手段とを具備することを特徴とする移動無線端末装置。
【請求項３】
ＣＤＭＡ（Code Division Multiple Access）方式の移動通信システムに用いられる移動無線端末装置において、
送信と受信に共用する第１のアンテナを通じて受信した無線周波信号に、所定の処理を施して、第１のベースバンド信号に変換する第１の信号処理手段と、
受信専用に用いる第２のアンテナを通じて受信した無線周波信号に、所定の処理を施して、第２のベースバンド信号に変換する第２の信号処理手段と、
受信パス毎に復調を行うフィンガ手段を複数備え、これらにより前記第１のベースバンド信号に含まれるマルチパス信号に対してレイク受信を行い、複数のパスの信号について復調を行う第１のレイク受信手段と、
前記第２のベースバンド信号に含まれるマルチパス信号に対してレイク受信を行い、複数のパスの信号について復調を行う第２のレイク受信手段と、
前記第１のレイク受信手段と前記第２のレイク受信手段にてそれぞれ復調された信号を、シンボル合成するシンボル合成手段と、
前記フィンガ手段にて復調された信号のＳ／Ｎ比が、予め設定した閾値以上となるものが存在し、なおかつこのような復調信号を得るフィンガ手段の数が予め設定した数以下となる場合に、前記第２の信号処理手段および前記第２のレイク受信手段へのバッテリ供給を停止して、その動作を停止させる受信制御手段とを具備することを特徴とする移動無線端末装置。
【請求項４】
ＣＤＭＡ（Code Division Multiple Access）方式の移動通信システムに用いられる移動無線端末装置において、
送信と受信に共用する第１のアンテナを通じて受信した無線周波信号に、所定の処理を施して、第１のベースバンド信号に変換する第１の信号処理手段と、
受信専用に用いる第２のアンテナを通じて受信した無線周波信号に、所定の処理を施して、第２のベースバンド信号に変換する第２の信号処理手段と、
受信パス毎に復調を行うフィンガ手段を複数備え、これらにより前記第１のベースバンド信号に含まれるマルチパス信号に対してレイク受信を行い、複数のパスの信号について復調を行う第１のレイク受信手段と、
受信パス毎に復調を行うフィンガ手段を複数備え、これらにより前記第２のベースバンド信号に含まれるマルチパス信号に対してレイク受信を行い、複数のパスの信号について復調を行う第２のレイク受信手段と、
前記第１のレイク受信手段と前記第２のレイク受信手段にてそれぞれ復調された信号を、シンボル合成するシンボル合成手段と、
前記フィンガ手段にて復調された信号のＳ／Ｎ比が、予め設定した閾値以上となるものが存在し、なおかつこのような復調信号を得るフィンガ手段の数が予め設定した数以下となる場合に、前記第２の信号処理手段および前記第２のレイク受信手段へのバッテリ供給を停止して、その動作を停止させる受信制御手段とを具備することを特徴とする移動無線端末装置。
【請求項５】
ＣＤＭＡ（Code Division Multiple Access）方式の移動通信システムに用いられる移動無線端末装置において、
送信と受信に共用する第１のアンテナを通じて受信した無線周波信号に、所定の処理を施して、第１のベースバンド信号に変換する第１の信号処理手段と、
受信専用に用いる第２のアンテナを通じて受信した無線周波信号に、所定の処理を施して、第２のベースバンド信号に変換する第２の信号処理手段と、
前記第１のベースバンド信号に含まれるマルチパス信号に対してレイク受信を行い、複数のパスの信号について復調を行う第１のレイク受信手段と、
前記第２のベースバンド信号に含まれるマルチパス信号に対してレイク受信を行い、複数のパスの信号について復調を行う第２のレイク受信手段と、
前記第１のレイク受信手段と前記第２のレイク受信手段にてそれぞれ復調された信号を、シンボル合成するシンボル合成手段と、
受信品質が、予め設定した品質以上である場合に、前記第２の信号処理手段へのバッテリ供給を停止して、その動作を停止させる受信制御手段とを具備し、
前記第１のレイク受信手段は、
前記マルチパス信号の分離を行い、それらのＳ／Ｎ比を比較することにより、有用な受信パスの受信タイミングを検出するパスサーチ手段と、
このパスサーチ手段にて検出した受信タイミングに基づいて、それぞれ受信パス毎に復調を行うフィンガ手段を複数備え、
前記受信制御手段は、前記第１のレイク受信手段のパスサーチ手段にて受信タイミングを検出する際に求めた、有用な受信パスのＳ／Ｎ比に基づいて、受信品質の判定を行うことを特徴とする移動無線端末装置。
【請求項６】
ＣＤＭＡ（Code Division Multiple Access）方式の移動通信システムに用いられる移動無線端末装置において、
送信と受信に共用する第１のアンテナを通じて受信した無線周波信号に、所定の処理を施して、第１のベースバンド信号に変換する第１の信号処理手段と、
受信専用に用いる第２のアンテナを通じて受信した無線周波信号に、所定の処理を施して、第２のベースバンド信号に変換する第２の信号処理手段と、
前記第１のベースバンド信号に含まれるマルチパス信号に対してレイク受信を行い、複数のパスの信号について復調を行う第１のレイク受信手段と、
前記第２のベースバンド信号に含まれるマルチパス信号に対してレイク受信を行い、複数のパスの信号について復調を行う第２のレイク受信手段と、
前記第１のレイク受信手段と前記第２のレイク受信手段にてそれぞれ復調された信号を、シンボル合成するシンボル合成手段と、
受信品質が、予め設定した品質以上である場合に、前記第２の信号処理手段へのバッテリ供給を停止して、その動作を停止させる受信制御手段とを具備し、
前記第１のレイク受信手段および前記第２のレイク受信手段は、それぞれ
前記マルチパス信号の分離を行い、それらのＳ／Ｎ比を比較することにより、有用な受信パスの受信タイミングを検出するパスサーチ手段と、
このパスサーチ手段にて検出した受信タイミングに基づいて、それぞれ受信パス毎に復調を行うフィンガ手段を複数備え、
前記受信制御手段は、前記第１のレイク受信手段および前記第２のレイク受信手段のパスサーチ手段にて受信タイミングを検出する際に求めた、有用な受信パスのＳ／Ｎ比に基づいて、受信品質の判定を行うことを特徴とする移動無線端末装置。
【請求項７】
ＣＤＭＡ（Code Division Multiple Access）方式の移動通信システムに用いられる移動無線端末装置において、
送信と受信に共用する第１のアンテナを通じて受信した無線周波信号に、所定の処理を施して、第１のベースバンド信号に変換する第１の信号処理手段と、
受信専用に用いる第２のアンテナを通じて受信した無線周波信号に、所定の処理を施して、第２のベースバンド信号に変換する第２の信号処理手段と、
前記第１のベースバンド信号に含まれるマルチパス信号に対してレイク受信を行い、複数のパスの信号について復調を行う第１のレイク受信手段と、
前記第２のベースバンド信号に含まれるマルチパス信号に対してレイク受信を行い、複数のパスの信号について復調を行う第２のレイク受信手段と、
前記第１のレイク受信手段と前記第２のレイク受信手段にてそれぞれ復調された信号を、シンボル合成するシンボル合成手段と、
受信品質が、予め設定した品質以上である場合に、前記第２の信号処理手段および前記第２のレイク受信手段へのバッテリ供給を停止して、その動作を停止させる受信制御手段とを具備し、
前記第１のレイク受信手段は、
前記マルチパス信号の分離を行い、それらのＳ／Ｎ比を比較することにより、有用な受信パスの受信タイミングを検出するパスサーチ手段と、
このパスサーチ手段にて検出した受信タイミングに基づいて、それぞれ受信パス毎に復調を行うフィンガ手段を複数備え、
前記受信制御手段は、前記第１のレイク受信手段のパスサーチ手段にて受信タイミングを検出する際に求めた、有用な受信パスのＳ／Ｎ比に基づいて、受信品質の判定を行うことを特徴とする移動無線端末装置。
【請求項８】
ＣＤＭＡ（Code Division Multiple Access）方式の移動通信システムに用いられる移動無線端末装置において、
送信と受信に共用する第１のアンテナを通じて受信した無線周波信号に、所定の処理を施して、第１のベースバンド信号に変換する第１の信号処理手段と、
受信専用に用いる第２のアンテナを通じて受信した無線周波信号に、所定の処理を施して、第２のベースバンド信号に変換する第２の信号処理手段と、
前記第１のベースバンド信号に含まれるマルチパス信号に対してレイク受信を行い、複数のパスの信号について復調を行う第１のレイク受信手段と、
前記第２のベースバンド信号に含まれるマルチパス信号に対してレイク受信を行い、複数のパスの信号について復調を行う第２のレイク受信手段と、
前記第１のレイク受信手段と前記第２のレイク受信手段にてそれぞれ復調された信号を、シンボル合成するシンボル合成手段と、
受信品質が、予め設定した品質以上である場合に、前記第２の信号処理手段および前記第２のレイク受信手段へのバッテリ供給を停止して、その動作を停止させる受信制御手段とを具備し、
前記第１のレイク受信手段および前記第２のレイク受信手段は、それぞれ
前記マルチパス信号の分離を行い、それらのＳ／Ｎ比を比較することにより、有用な受信パスの受信タイミングを検出するパスサーチ手段と、
このパスサーチ手段にて検出した受信タイミングに基づいて、それぞれ受信パス毎に復調を行うフィンガ手段を複数備え、
前記受信制御手段は、前記第１のレイク受信手段および前記第２のレイク受信手段のパスサーチ手段にて受信タイミングを検出する際に求めた、有用な受信パスのＳ／Ｎ比に基づいて、受信品質の判定を行うことを特徴とする移動無線端末装置。
【請求項９】
ＣＤＭＡ（Code Division Multiple Access）方式の移動通信システムに用いられる移動無線端末装置において、
送信と受信に共用する第１のアンテナを通じて受信した無線周波信号に、所定の処理を施して、第１のベースバンド信号に変換する第１の信号処理手段と、
受信専用に用いる第２のアンテナを通じて受信した無線周波信号に、所定の処理を施して、第２のベースバンド信号に変換する第２の信号処理手段と、
前記第１のベースバンド信号に含まれるマルチパス信号に対してレイク受信を行い、複数のパスの信号について復調を行う第１のレイク受信手段と、
前記第２のベースバンド信号に含まれるマルチパス信号に対してレイク受信を行い、複数のパスの信号について復調を行う第２のレイク受信手段と、
前記第１のレイク受信手段と前記第２のレイク受信手段にてそれぞれ復調された信号を、シンボル合成するシンボル合成手段と、
受信品質が、予め設定した品質以上である場合に、前記第２の信号処理手段へのバッテリ供給を停止して、その動作を停止させるものであって、複数のチャネルを通じて受信を行なう場合に、前記第２の信号処理手段へのバッテリ供給を停止して、その動作を停止させるとともに、前記第２のレイク受信手段に前記第２のベースバンド信号に代わり、第１のベースバンド信号を入力してレイク受信を行わせる受信制御手段とを具備することを特徴とする移動無線端末装置。
【請求項１０】
ＣＤＭＡ（Code Division Multiple Access）方式の移動通信システムに用いられる移動無線端末装置において、
送信と受信に共用する第１のアンテナを通じて受信した無線周波信号に、所定の処理を施して、第１のベースバンド信号に変換する第１の信号処理手段と、
受信専用に用いる第２のアンテナを通じて受信した無線周波信号に、所定の処理を施して、第２のベースバンド信号に変換する第２の信号処理手段と、
前記第１のベースバンド信号に含まれるマルチパス信号に対してレイク受信を行い、複数のパスの信号について復調を行う第１のレイク受信手段と、
前記第２のベースバンド信号に含まれるマルチパス信号に対してレイク受信を行い、複数のパスの信号について復調を行う第２のレイク受信手段と、
前記第１のレイク受信手段と前記第２のレイク受信手段にてそれぞれ復調された信号を、シンボル合成するシンボル合成手段と、
受信品質が、予め設定した品質以上である場合に、前記第２の信号処理手段および前記第２のレイク受信手段へのバッテリ供給を停止して、その動作を停止させるものであって、複数のチャネルを通じて受信を行なう場合に、前記第２の信号処理手段へのバッテリ供給を停止して、その動作を停止させるとともに、前記第２のレイク受信手段に前記第２のベースバンド信号に代わり、第１のベースバンド信号を入力してレイク受信を行わせる受信制御手段とを具備することを特徴とする移動無線端末装置。
【請求項１１】
ＣＤＭＡ（Code Division Multiple Access）方式の移動通信システムに用いられる移動無線端末装置において、
送信と受信に共用する第１のアンテナを通じて受信した無線周波信号に、所定の処理を施して、第１のベースバンド信号に変換する第１の信号処理手段と、
受信専用に用いる第２のアンテナを通じて受信した無線周波信号に、所定の処理を施して、第２のベースバンド信号に変換する第２の信号処理手段と、
前記第１のベースバンド信号に含まれるマルチパス信号に対してレイク受信を行い、複数のパスの信号について復調を行う第１のレイク受信手段と、
前記第２のベースバンド信号に含まれるマルチパス信号に対してレイク受信を行い、複数のパスの信号について復調を行う第２のレイク受信手段と、
前記第１のレイク受信手段と前記第２のレイク受信手段にてそれぞれ復調された信号を、シンボル合成するシンボル合成手段と、
受信品質が、予め設定した品質以上である場合に、前記第２の信号処理手段へのバッテリ供給を停止して、その動作を停止させるとともに、前記第２のレイク受信手段に前記第２のベースバンド信号に代わり、第１のベースバンド信号を入力してレイク受信を行わせる受信制御手段とを具備することを特徴とする移動無線端末装置。
【請求項１２】
前記受信制御手段は、前記第１のレイク受信手段にて復調された信号をシンボル合成した結果のＳ／Ｎ比に基づいて、受信品質の判定を行うことを特徴とする請求項９乃至請求項１１のいずれかに記載の移動無線端末装置。
【請求項１３】
前記受信制御手段は、前記第１のレイク受信手段および前記第２のレイク受信手段にて復調された信号をシンボル合成した結果のＳ／Ｎ比に基づいて、受信品質の判定を行うことを特徴とする請求項９乃至請求項１１のいずれかに記載の移動無線端末装置。
【請求項１４】
前記第１のレイク受信手段は、受信パス毎に復調を行うフィンガ手段を複数備え、これらによりマルチパス信号に対してレイク受信を行い、複数のパスの信号について復調を行うものであって、
前記受信制御手段は、前記第１のレイク受信手段の各フィンガ手段にて復調された信号のＳ／Ｎ比に基づいて、受信品質の判定を行うことを特徴とする請求項９乃至請求項１１のいずれかに記載の移動無線端末装置。
【請求項１５】
前記第１のレイク受信手段および前記第２のレイク受信手段は、それぞれ受信パス毎に復調を行うフィンガ手段を複数備え、これらによりマルチパス信号に対してレイク受信を行い、複数のパスの信号について復調を行うものであって、
前記受信制御手段は、前記第１のレイク受信手段および前記第２のレイク受信手段の各フィンガ手段にて復調された信号のＳ／Ｎ比に基づいて、受信品質の判定を行うことを特徴とする請求項９乃至請求項１１のいずれかに記載の移動無線端末装置。
【請求項１６】
前記第１のレイク受信手段は、
前記マルチパス信号の分離を行い、それらのＳ／Ｎ比を比較することにより、有用な受信パスの受信タイミングを検出するパスサーチ手段と、
このパスサーチ手段にて検出した受信タイミングに基づいて、それぞれ受信パス毎に復調を行うフィンガ手段を複数備え、
前記受信制御手段は、前記第１のレイク受信手段のパスサーチ手段にて受信タイミングを検出する際に求めた、有用な受信パスのＳ／Ｎ比に基づいて、受信品質の判定を行うことを特徴とする請求項９乃至請求項１１のいずれかに記載の移動無線端末装置。
【請求項１７】
前記第１のレイク受信手段および前記第２のレイク受信手段は、それぞれ
前記マルチパス信号の分離を行い、それらのＳ／Ｎ比を比較することにより、有用な受信パスの受信タイミングを検出するパスサーチ手段と、
このパスサーチ手段にて検出した受信タイミングに基づいて、それぞれ受信パス毎に復調を行うフィンガ手段を複数備え、
前記受信制御手段は、前記第１のレイク受信手段および前記第２のレイク受信手段のパスサーチ手段にて受信タイミングを検出する際に求めた、有用な受信パスのＳ／Ｎ比に基づいて、受信品質の判定を行うことを特徴とする請求項９乃至請求項１１のいずれかに記載の移動無線端末装置。
【請求項１８】
前記受信制御手段は、復調された信号をシンボル合成した結果のＳ／Ｎ比が、予め設定した閾値以上となる場合を、受信品質が予め設定した品質以上である場合とすることを特徴とする請求項１２または請求項１３に記載の移動無線端末装置。
【請求項１９】
前記受信制御手段は、前記フィンガ手段にて復調された信号のＳ／Ｎ比が、予め設定した閾値以上となるものが存在し、なおかつこのような復調信号を得るフィンガ手段の数が予め設定した数以下となる場合を、受信品質が予め設定した品質以上である場合とすることを特徴とする請求項１４または請求項１５に記載の移動無線端末装置。
【請求項２０】
前記受信制御手段は、前記パスサーチ手段にて受信タイミングを検出する際に求めた有用な受信パスのＳ／Ｎ比が、予め設定した閾値以上となるものが存在し、なおかつこのような有用なパスの数が予め設定した数以下となる場合を、受信品質が予め設定した品質以上である場合とすることを特徴とする請求項５、請求項６、請求項７、請求項８、請求項１６、請求項１７のいずれかに記載の移動無線端末装置。
【発明の詳細な説明】
【０００１】
【発明の属する技術分野】
この発明は、ダイバーシチ受信を行うＣＤＭＡ（Code Division Multiple Access）方式の移動通信システムに用いられる移動無線端末装置に関する。
【０００２】
【従来の技術】
周知のように、移動無線端末装置の受信特性を向上させるためにアンテナや受信機を複数系統用いるダイバーシチ受信が有効である。図７にＣＤＭＡ方式の移動無線端末装置に搭載される、従来のダイバーシチ受信機の構成例を示す。
【０００３】
これは、送信機（ＴＸ）４からの送信無線周波数信号が共用器（ＤＵＰ）３を通じて入力され、これを空間に放射するとともに、受信した受信無線周波信号を共用器３を通じて第１のダイバーシチブランチ（ＢＲ１）６に入力する第１のアンテナ１と、受信した受信無線周波信号をバンドパスフィルタ（ＢＰＦ）５を通じて第２のダイバーシチブランチ（ＢＲ２）７に入力する専用の第２のアンテナ２を有する。
【０００４】
この第１のアンテナ１は、送信にも使用するため一般に高いアンテナ利得が要求され、移動通信端末装置の外部に棒状に露出させるものを用いるが、第２のアンテナ２は、装置の小型化、取り扱いの容易さの観点から、装置の内部に内蔵させるのが普通である。
【０００５】
そして、第１のダイバーシチブランチ６は、第１のアンテナ１にて受信した無線周波信号に対して、所定の高周波信号処理を施して、レイク受信機（ＲＡＫＥ１）８に入力する。同様に、第２のダイバーシチブランチ７は、第２のアンテナ２にて受信した無線周波信号に対して、所定の高周波信号処理を施して、レイク受信機（ＲＡＫＥ２）９に入力する。
【０００６】
レイク受信機８は、有用な受信パスを検出するパスサーチャ８１と、このパスサーチャ８１にて検出された受信パスを通じて受信される信号を復調する複数のフィンガ８２〜８ｎを備え、これら各フィンガフィンガ８２〜８ｎの復調結果がシンボル合成器（ＣＯＭＢ）１０に入力される。
【０００７】
レイク受信機９も、レイク受信機８と同様に、パスサーチャ９１と、複数のフィンガ９２〜９ｎとを備え、複数のフィンガ９２〜９ｎがパスサーチャ９１にて検出した受信パスを受信して復調を行い、その結果をシンボル合成回路１０に入力する。
【０００８】
シンボル合成回路１０は、上記各フィンガにて受信された信号の受信タイミングを考慮して合成を行う。シンボル合成回路１０の合成出力は、図示しない後段の誤り訂正回路に入力される。
【０００９】
以上のような構成により、ダイバーシチ受信を実施すると、ダイバーシチを行わない場合に比べ、スタティック受信特性、およびフェージング受信特性が共に向上する。
しかしながら、ダイバーシチ受信では、常時複数系統の受信機が動作しているため、待受け時でも消費電流が大きく、電池寿命が短いという欠点がある。
【００１０】
また、受信専用の内蔵アンテナ２は、露出させた外部アンテナ１よりも利得が低いため、第１のダイバーシチブランチ６と、第２のダイバーシチブランチ７との間で、入力受信波のレベルに差が出て、期待したダイバーシチ利得が得られないという問題がある。
【００１１】
【発明が解決しようとする課題】
従来の移動無線端末装置では、消費電流が多くなり電池寿命が短くなるという欠点があり、また、アンテナの一方を内蔵した場合に、所望のダイバーシチ利得が得られにくいという問題があった。
【００１２】
この発明は上記の問題を解決すべくなされたもので、所望のダイバーシチ利得を得つつ、実使用時の消費電流を削減することが可能な移動無線端末装置を提供することを目的とする。
【００１３】
【課題を解決するための手段】
上記の目的を達成するために、この発明は、ＣＤＭＡ方式の移動通信システムに用いられる移動無線端末装置において、送信と受信に共用する第１のアンテナを通じて受信した無線周波信号に、所定の処理を施して、第１のベースバンド信号に変換する第１の信号処理手段と、受信専用に用いる第２のアンテナを通じて受信した無線周波信号に、所定の処理を施して、第２のベースバンド信号に変換する第２の信号処理手段と、第１のベースバンド信号に含まれるマルチパス信号に対してレイク受信を行い、複数のパスの信号について復調を行う第１のレイク受信手段と、第２のベースバンド信号に含まれるマルチパス信号に対してレイク受信を行い、複数のパスの信号について復調を行う第２のレイク受信手段と、第１のレイク受信手段と第２のレイク受信手段にてそれぞれ復調された信号を、シンボル合成するシンボル合成手段と、受信品質が、予め設定した品質以上である場合に、第２の信号処理手段へのバッテリ供給を停止して、その動作を停止させる受信制御手段とを具備し、第１のレイク受信手段は、マルチパス信号の分離を行い、それらのＳ／Ｎ比を比較することにより、有用な受信パスの受信タイミングを検出するパスサーチ手段と、このパスサーチ手段にて検出した受信タイミングに基づいて、それぞれ受信パス毎に復調を行うフィンガ手段を複数備え、受信制御手段は、第１のレイク受信手段のパスサーチ手段にて受信タイミングを検出する際に求めた、有用な受信パスのＳ／Ｎ比に基づいて、受信品質の判定を行うようにした。
【００１４】
上記構成の移動無線端末装置では、受信品質が、予め設定した品質以上である場合に、第２の信号処理手段へのバッテリ供給を停止して、その動作を停止させて、第１のアンテナ、第１の信号処理手段、および第１のレイク受信手段からなる受信系で受信を行うものであって、上記受信品質の判定は、第１のレイク受信手段のパスサーチ手段にて受信タイミングを検出する際に求めた、有用な受信パスのＳ／Ｎ比に基づいて行うようにしている。
【００１５】
したがって、上記構成の移動無線端末装置によれば、受信品質が予め設定した品質未満である場合に限り、第２の信号処理手段へバッテリ供給を行って、２つの受信系によるダイバーシチ受信を行うので、受信品質が十分であるのもかかわらず、ダイバーシチ受信を行うといった無駄が省け、消費電力を節約することができ、また第１のレイク受信手段のパスサーチ手段にて受信タイミングを検出する際に求めた、有用な受信パスのＳ／Ｎ比に基づいて受信品質の判定を行うので、効率の良い判定を行える。
【００１６】
また、上記の目的を達成するために、この発明は、ＣＤＭＡ方式の移動通信システムに用いられる移動無線端末装置において、送信と受信に共用する第１のアンテナを通じて受信した無線周波信号に、所定の処理を施して、第１のベースバンド信号に変換する第１の信号処理手段と、受信専用に用いる第２のアンテナを通じて受信した無線周波信号に、所定の処理を施して、第２のベースバンド信号に変換する第２の信号処理手段と、第１のベースバンド信号に含まれるマルチパス信号に対してレイク受信を行い、複数のパスの信号について復調を行う第１のレイク受信手段と、第２のベースバンド信号に含まれるマルチパス信号に対してレイク受信を行い、複数のパスの信号について復調を行う第２のレイク受信手段と、第１のレイク受信手段と第２のレイク受信手段にてそれぞれ復調された信号を、シンボル合成するシンボル合成手段と、受信品質が、予め設定した品質以上である場合に、第２の信号処理手段および第２のレイク受信手段へのバッテリ供給を停止して、その動作を停止させる受信制御手段とを具備し、第１のレイク受信手段は、マルチパス信号の分離を行い、それらのＳ／Ｎ比を比較することにより、有用な受信パスの受信タイミングを検出するパスサーチ手段と、このパスサーチ手段にて検出した受信タイミングに基づいて、それぞれ受信パス毎に復調を行うフィンガ手段を複数備え、受信制御手段は、第１のレイク受信手段のパスサーチ手段にて受信タイミングを検出する際に求めた、有用な受信パスのＳ／Ｎ比に基づいて、受信品質の判定を行うようにした。
【００１７】
上記構成の移動無線端末装置では、受信品質が、予め設定した品質以上である場合に、第２の信号処理手段および第２のレイク受信手段へのバッテリ供給を停止して、その動作を停止させて、第１のアンテナ、第１の信号処理手段、および第１のレイク受信手段からなる受信系で受信を行うものであって、上記受信品質の判定は、第１のレイク受信手段のパスサーチ手段にて受信タイミングを検出する際に求めた、有用な受信パスのＳ／Ｎ比に基づいて行うようにしている。
【００１８】
したがって、上記構成の移動無線端末装置によれば、受信品質が予め設定した品質未満である場合に限り、第２の信号処理手段および第２のレイク受信手段へバッテリ供給を行って、２つの受信系によるダイバーシチ受信を行うので、受信品質が十分であるのもかかわらず、ダイバーシチ受信を行うといった無駄が省け、消費電力を節約することができ、また第１のレイク受信手段のパスサーチ手段にて受信タイミングを検出する際に求めた、有用な受信パスのＳ／Ｎ比に基づいて受信品質の判定を行うので、効率の良い判定を行える。
【００１９】
そしてまた、上記の目的を達成するために、この発明は、ＣＤＭＡ方式の移動通信システムに用いられる移動無線端末装置において、送信と受信に共用する第１のアンテナを通じて受信した無線周波信号に、所定の処理を施して、第１のベースバンド信号に変換する第１の信号処理手段と、受信専用に用いる第２のアンテナを通じて受信した無線周波信号に、所定の処理を施して、第２のベースバンド信号に変換する第２の信号処理手段と、第１のベースバンド信号に含まれるマルチパス信号に対してレイク受信を行い、複数のパスの信号について復調を行う第１のレイク受信手段と、第２のベースバンド信号に含まれるマルチパス信号に対してレイク受信を行い、複数のパスの信号について復調を行う第２のレイク受信手段と、第１のレイク受信手段と第２のレイク受信手段にてそれぞれ復調された信号を、シンボル合成するシンボル合成手段と、受信品質が、予め設定した品質以上である場合に、第２の信号処理手段へのバッテリ供給を停止して、その動作を停止させるとともに、第２のレイク受信手段に第２のベースバンド信号に代わり、第１のベースバンド信号を入力してレイク受信を行わせる受信制御手段とを具備して構成するようにした。
【００２０】
上記構成の移動無線端末装置では、受信品質が、予め設定した品質以上である場合に、第２の信号処理手段および第２のレイク受信手段へのバッテリ供給を停止して、その動作を停止させてるとともに、第１のアンテナおよび第１の信号処理手段によって得た第１のベースバンド信号を、第１のレイク受信手段および第２のレイク受信手段にて、レイク受信するようにしている。
【００２１】
したがって、上記構成の移動無線端末装置によれば、受信品質が予め設定した品質未満である場合に限り、第２の信号処理手段へバッテリ供給を行って、２つの受信系によるダイバーシチ受信を行うので、受信品質が十分であるのもかかわらず、ダイバーシチ受信を行うといった無駄が省け、消費電力を節約することができる。
【００２２】
また、上記構成の移動無線端末装置では、十分な受信品質が得られる場合には、１つのベースバンド信号について２つのレイク受信機で受信を行うようにしているので、例えば基地局から送信される信号の符号多重数が多い場合でも、自装置宛ての信号を迅速に検出することができる。
【００２５】
【発明の実施の形態】
以下、図面を参照して、この発明の実施形態について説明する。
図１は、この発明の第１の実施形態に係わる移動無線端末装置に搭載される、ダイバーシチ受信機の構成を示すものである。但し、図１において、従来のダイバーシチ受信機の構成を示す図７と同一部分には同一符号を付して示す。
【００２６】
このダイバーシチ受信機は、送信機（ＴＸ）４からの送信無線周波数信号が共用器（ＤＵＰ）３を通じて入力され、これを空間に放射するとともに、受信した受信無線周波信号を共用器３を通じて第１のダイバーシチブランチ（ＢＲ１）６に入力する第１のアンテナ１と、受信した受信無線周波信号をバンドパスフィルタ（ＢＰＦ）５を通じて第２のダイバーシチブランチ（ＢＲ２）７に入力する受信専用の第２のアンテナ２を有する。
【００２７】
また、図２に示すように、第１のアンテナ１は、送信にも使用するため一般に高いアンテナ利得が要求され、移動通信端末装置の外部に棒状に露出させるものを用いる。一方、第２のアンテナ２は、装置の小型化、取り扱いの容易さの観点から、装置の筐体内部に内蔵させる。
【００２８】
そして、第１のダイバーシチブランチ６は、第１のアンテナ１にて受信した無線周波信号に対して、増幅、周波数変換、フィルタリング等の高周波信号処理を施して、無線周波信号から所望の周波数の信号のみを取り出し、適切な信号レベルのベースバンド信号として、レイク受信機（ＲＡＫＥ１）８に入力する。
【００２９】
第２のダイバーシチブランチ７は、第１のダイバーシチブランチ６と同様に、第２のアンテナ２にて受信した無線周波信号に対して、上記した高周波信号処理を施して、無線周波信号から所望の周波数の信号のみを取り出し、適切な信号レベルのベースバンド信号として、レイク受信機（ＲＡＫＥ２）９に入力する。
【００３０】
なお、筐体内部に内蔵される第２のアンテナ２は、装置外部に露出させた第１のアンテナ１よりも利得が低いため、そのままでは所望のダイバーシチ利得を得ることができない。したがって、第２のダイバーシチブランチ７は、その受信感度性能を第１のダイバーシチブランチ６よりも向上させておく。
【００３１】
レイク受信機８は、パスサーチャ８１と、複数のフィンガ８２〜８ｎとを備える。パスサーチャ８１は、第１のダイバーシチブランチ６からのベースバンド信号から、マルチパス信号の分離を行った後、それらのＳ／Ｎ比を比較することにより、各マルチパス信号の中から有用なものを検出し、これを受信するタイミングを示すタイミング情報をフィンガ８２〜８ｎに割り当てる。
【００３２】
フィンガ８２〜８ｎは、パスサーチャ８１で割り当てられたタイミング情報に基づいて、それぞれ第１のダイバーシチブランチ６からのベースバンド信号を逆拡散処理して、復調シンボルを得る。フィンガ８２〜８ｎにてそれぞれ得られた復調シンボルは、シンボル合成器（ＣＯＭＢ）１０に入力される。
【００３３】
レイク受信機９も、レイク受信機８と同様に、パスサーチャ９１と、複数のフィンガ９２〜９ｎとを備え、第２のダイバーシチブランチ７より入力されるベースバンド信号から、パスサーチャ９１が受信タイミングを検出し、この検出結果に従って、複数のフィンガ９２〜９ｎが上記ベースバンド信号より復調シンボルを再生し、シンボル合成回路１０に入力する。
【００３４】
シンボル合成回路１０は、上記各フィンガ８２〜８ｎ，９２〜９ｎにて受信されたベースバンド信号の受信タイミングずれを考慮して合成を行う。
シンボル合成回路１０の合成出力は、図示しない後段の誤り訂正回路に入力されると同時に、分岐されて信号品質判定回路（ＱＬＴＹ）１１に入力される。
【００３５】
信号品質判定回路１１は、現在使用しているサービス（音声通信や、データ通信など）に応じた品質閾値が予め設定されており、シンボル合成回路１０の合成出力のＳ／Ｎ比を測定し、この測定結果と上記品質閾値とを比較する。
【００３６】
そして、信号品質判定回路１１は、この比較の結果に応じて、レイク受信機９に電源供給を行う切換スイッチ（ＤＩＶ−ＳＷ）１２を切換制御してレイク受信機９のＯＮ／ＯＦＦ制御を行うとともに、第２のダイバーシチブランチ７のＯＮ／ＯＦＦ制御を行う。
【００３７】
図３は、信号品質判定回路１１の構成例を示す回路ブロック図である。
信号品質判定回路１１に入力された復調シンボル信号は、分岐されて、一方は平均値回路（ＡＶＥ）１２１に入力され、他方は誤差回路（ＥＲＲ）１２４に入力される。
平均値回路１２１は、復調シンボル信号の振幅の平均値を計算し、この平均値を二乗回路（ＳＱＲ）１２２と誤差回路１２４とに入力する。
【００３８】
二乗回路１２２は、上記平均値の２乗を求めることにより、復調シンボル信号の電力値を求める。この電力値は、対数回路（ＬＯＧ）１２３に入力される。対数回路１２３は、上記電力値を対数値に変換し、対数値Ｘとして引き算回路（Ｘ−Ｙ）１２８に入力する。
【００３９】
一方、誤差回路１２４は、復調シンボル信号の、その平均値との誤差を求める。この誤差は、二乗回路（ＳＱＲ）１２５に入力される。二乗回路１２５は、上記誤差の２乗を求めることにより、その電力値を求める。この電力値は、累積回路１２６で累積され、雑音（干渉を含む）電力となる。
【００４０】
この雑音電力は、対数回路（ＬＯＧ）１２６に入力されて、ここで対数値に変換され、対数値Ｙとして引き算回路１２８に入力される。引き算回路１２８は、上記ＸとＹとの差を求めることにより、復調シンボル信号のＳ／Ｎ比を求める。この値は、比較回路（ＣＭＰ）１２９に入力される。
【００４１】
比較回路１２９は、当該端末装置の各部を統括して制御する制御部（図示しない）より予め指示される、サービスが要求する品質閾値が与えられており、上記Ｓ／Ｎ比が上記品質閾値を越えているか否かを判定する。
【００４２】
なお、サービスに要求される信号品質に関しては、一般的に音声通信サービスにくらべて、データ通信サービスに要求される信号品質は高くなる。どのようなサービスがその時に提供されるかは、予め移動通信端末と基地局とのネゴシェーションで決定されるため、その情報に基づいて上記制御部が信号品質の閾値を選ぶようにする。
【００４３】
比較回路１２９は、上記Ｓ／Ｎ比が上記品質閾値を越えており、所定の受信品質が得られる場合には、切換スイッチ１２を切換制御してレイク受信機９をＯＦＦ制御するとともに、第２のダイバーシチブランチ７をＯＦＦ制御する。
【００４４】
ここで、２系統の受信手段による受信動作から１系統の受信手段による受信動作に移行することによって、Ｓ／Ｎ比の若干の低下が見込まれるので、信号品質判定回路１１の品質閾値は、サービスが要求する最低品質レベルから十分余裕を持ち、かつヒステリシスを持たせることが望ましい。
【００４５】
一方、上記Ｓ／Ｎ比が上記品質閾値未満で、所定の受信品質が得られない場合には、切換スイッチ１２を切換制御してレイク受信機９をＯＮ制御するとともに、第２のダイバーシチブランチ７をＯＮ制御する。
【００４６】
次に、上記構成の移動無線端末装置の動作を以下に説明する。
通信が開始されると、送信機４からの送信信号が共用器３を通じてアンテナ１より空間に放射されるとともに、アンテナ１にて空間より受信した無線周波数信号が第１のダイバーシチブランチ６に入力されて、ベースバンド信号に変換され、レイク受信機８に入力される。
【００４７】
同様に、通信開始初期においては、第２のダイバーシチブランチ７が動作状態にあり、アンテナ２にて空間より受信した無線周波数信号が第２のダイバーシチブランチ７に入力されて、ベースバンド信号に変換され、レイク受信機９に入力される。
【００４８】
通信開始初期においては、レイク受信機８および９ともに動作状態にあり、それぞれにて、それぞれレイク受信により復調された復調シンボルが、シンボル合成回路１０にて合成され、後段の誤り訂正回路に入力されると同時に、信号品質判定回路１１に入力される。
【００４９】
信号品質判定回路１１に入力された合成出力は、ここで、その品質が判定される。そして、その品質がサービスに要求される受信品質を満たすものである場合には、切換スイッチ１２が切換制御されてレイク受信機９へのバッテリ供給が停止されるとともに、第２のダイバーシチブランチ７はＯＦＦ制御される。
【００５０】
そして、このようなＯＦＦ制御の後、合成出力の品質がサービスに要求される受信品質を満たすものでなくなった場合には、切換スイッチ１２が切換制御されてレイク受信機９へのバッテリ供給が開始され動作を再開させるとともに、第２のダイバーシチブランチ７はＯＮ制御される。
【００５１】
以上のように、上記構成の移動無線端末装置では、アンテナ１、共用器３、第１のダイバーシチブランチ６および第１のレイク受信機８からなる受信系と、アンテナ２、バンドパスフィルタ５、第２のダイバーシチブランチ７および第２のレイク受信機９からなる受信系とを備え、この２つの受信系によるダイバーシチ受信で、設定中のサービスで要求される受信品質が得られる場合には、筐体内に内蔵している受信専用のアンテナ２に接続される、第２のダイバーシチブランチ７および第２のレイク受信機９の動作を停止させて、１つの受信系で受信を行う。
【００５２】
そして、１つの受信系による受信で、設定中のサービスで要求される受信品質が得られない場合には、停止させていた第２のダイバーシチブランチ７および第２のレイク受信機９を動作させて、２つの受信系でダイバーシチ受信を行うようにしている。
【００５３】
したがって、上記構成の移動無線端末装置によれば、設定中のサービスで要求される受信品質が満たされる場合には、２つの受信系のうち一方を停止させ、残る一方のみで受信を行うようにしているので、所望の受信品質が保たれつつ、バッテリ電力の節約を図ることができる。
【００５４】
また、上記構成の移動無線端末装置では、筐体内部に内蔵される第２のアンテナ２は、装置外部に露出させた第１のアンテナ１よりも利得が低いため、第２のダイバーシチブランチ７は、その受信感度性能を第１のダイバーシチブランチ６よりも向上させておくことにより、所望のダイバーシチ利得を得るようにした。
【００５５】
この場合、その代償として第２のダイバーシチブランチ７の消費電流が増加するが、ダイバーシチ動作を停止する場合には消費電流の多い第２のダイバーシチブランチ７の動作を停止し、消費電流の少ない第１のダイバーシチブランチ６を動作させるようにしているので、平均的な消費電流の増加を最小限に抑えることができる。
【００５６】
図４は、この発明の第２の実施形態に係わる移動無線端末装置に搭載される、ダイバーシチ受信機の構成を示すものである。但し、図４において、前述の第１の実施形態のダイバーシチ受信機の構成を示す図１と同一部分には同一符号を付して示す。
【００５７】
このダイバーシチ受信機は、送信機（ＴＸ）４からの送信無線周波数信号が共用器（ＤＵＰ）３を通じて入力され、これを空間に放射するとともに、受信した受信無線周波信号を共用器３を通じて第１のダイバーシチブランチ（ＢＲ１）６に入力する第１のアンテナ１と、受信した受信無線周波信号をバンドパスフィルタ（ＢＰＦ）５を通じて第２のダイバーシチブランチ（ＢＲ２）７に入力する受信専用の第２のアンテナ２を有する。
【００５８】
また、図２に示すように、第１のアンテナ１は、送信にも使用するため一般に高いアンテナ利得が要求され、移動通信端末装置の外部に棒状に露出させるものを用いる。一方、第２のアンテナ２は、装置の小型化、取り扱いの容易さの観点から、装置の筐体内部に内蔵させる。
【００５９】
そして、第１のダイバーシチブランチ６は、第１のアンテナ１にて受信した無線周波信号に対して、増幅、周波数変換、フィルタリング等の高周波信号処理を施して、無線周波信号から所望の周波数の信号のみを取り出し、適切な信号レベルのベースバンド信号として、レイク受信機（ＲＡＫＥ１）８および切換スイッチ（ＤＩＶ−ＳＷ）１３の第１の入力端子に入力する。
【００６０】
第２のダイバーシチブランチ７は、第１のダイバーシチブランチ６と同様に、第２のアンテナ２にて受信した無線周波信号に対して、上記した高周波信号処理を施して、無線周波信号から所望の周波数の信号のみを取り出し、適切な信号レベルのベースバンド信号として、切換スイッチ１３の第２の入力端子に入力する。
【００６１】
なお、筐体内部に内蔵される第２のアンテナ２は、装置外部に露出させた第１のアンテナ１よりも利得が低いため、そのままでは所望のダイバーシチ利得を得ることができない。したがって、第２のダイバーシチブランチ７は、その受信感度性能を第１のダイバーシチブランチ６よりも向上させておく。
【００６２】
切換スイッチ１３は、後述の信号品質判定回路（ＱＬＴＹ）１１によって切換制御され、第１の入力端子あるいは第２の入力端子に入力されるベースバンド信号を選択的にレイク受信機９に入力する。
【００６３】
レイク受信機８は、パスサーチャ８１と、複数のフィンガ８２〜８ｎとを備える。パスサーチャ８１は、第１のダイバーシチブランチ６からのベースバンド信号から、マルチパス信号の分離を行った後、それらのＳ／Ｎ比を比較することにより、各マルチパス信号の中から有用なものを検出し、これを受信するタイミングを示すタイミング情報をフィンガ８２〜８ｎに割り当てる。
【００６４】
フィンガ８２〜８ｎは、パスサーチャ８１で割り当てられたタイミング情報に基づいて、それぞれ第１のダイバーシチブランチ６からのベースバンド信号を逆拡散処理して、復調シンボルを得る。フィンガ８２〜８ｎにてそれぞれ得られた復調シンボルは、シンボル合成器（ＣＯＭＢ）１０に入力される。
【００６５】
レイク受信機９も、レイク受信機８と同様に、パスサーチャ９１と、複数のフィンガ９２〜９ｎとを備え、切換スイッチ１３より入力されるベースバンド信号から、パスサーチャ９１が受信タイミングを検出し、この検出結果に従って、複数のフィンガ９２〜９ｎが上記ベースバンド信号より復調シンボルを再生し、シンボル合成回路１０に入力する。
【００６６】
シンボル合成回路１０は、上記各フィンガ８２〜８ｎ，９２〜９ｎにて受信されたベースバンド信号の受信タイミングずれを考慮して合成を行う。
シンボル合成回路１０の合成出力は、図示しない後段の誤り訂正回路に入力されると同時に、分岐されて信号品質判定回路１１に入力される。
【００６７】
信号品質判定回路１１は、現在使用しているサービス（音声通信や、データ通信など）に応じた品質閾値が予め設定されており、シンボル合成回路１０の合成出力のＳ／Ｎ比を測定し、この測定結果と上記品質閾値とを比較する。
【００６８】
そして、この比較の結果、信号品質判定回路１１は、上記Ｓ／Ｎ比が上記品質閾値を越えており、所定の受信品質が得られる場合には、切換スイッチ１２を切換制御して第２のダイバーシチブランチ７をＯＦＦ制御するとともに、切換スイッチ１３を切換制御して、第１のダイバーシチブランチ６の出力するベースバンド信号をレイク受信機９に入力する。
【００６９】
一方、上記Ｓ／Ｎ比が上記品質閾値未満で、所定の受信品質が得られない場合には、切換スイッチ１２を切換制御して第２のダイバーシチブランチ７をＯＮ制御するとともに、切換スイッチ１３を切換制御して、第２のダイバーシチブランチ７の出力するベースバンド信号をレイク受信機９に入力する。
なお、信号品質判定回路１１の詳細な構成については、第１の実施形態と同様であることより説明を省略する。
【００７０】
次に、上記構成の移動無線端末装置の動作を以下に説明する。
通信が開始されると、送信機４からの送信信号が共用器３を通じてアンテナ１より空間に放射されるとともに、アンテナ１にて空間より受信した無線周波数信号が第１のダイバーシチブランチ６に入力されて、ベースバンド信号に変換され、レイク受信機８および切換スイッチ１３の第１の入力端子に入力される。
【００７１】
同様に、通信開始初期においては、第２のダイバーシチブランチ７が動作状態にあり、アンテナ２にて空間より受信した無線周波数信号が第２のダイバーシチブランチ７に入力されて、ベースバンド信号に変換され、切換スイッチ１３の第２の入力端子に入力される。
【００７２】
レイク受信機８では、第１のダイバーシチブランチ６からのベースバンド信号に対してレイク受信を行い、これにより復調された復調シンボルが、シンボル合成回路１０に入力される。
【００７３】
レイク受信機９では、通信開始初期においては、第２のダイバーシチブランチ７からのベースバンド信号が切換スイッチ１３を通じて入力され、この信号に対してレイク受信を行い、これにより復調された復調シンボルが、シンボル合成回路１０に入力される。
【００７４】
シンボル合成回路１０に入力されたレイク受信機８からの復調シンボル、およびレイク受信機９からの復調シンボルが合成され、後段の誤り訂正回路に入力されると同時に、信号品質判定回路１１に入力される。
【００７５】
信号品質判定回路１１に入力された合成出力は、ここで、その品質が判定される。そして、その品質がサービスに要求される受信品質を満たすものである場合には、切換スイッチ１２が切換制御されて第２のダイバーシチブランチ７へのバッテリ供給が停止されるとともに、切換スイッチ１３が切換制御されて、第１のダイバーシチブランチ６の出力するベースバンド信号がレイク受信機９に入力される。
【００７６】
そして、このようなＯＦＦ制御の後、合成出力の品質がサービスに要求される受信品質を満たすものでなくなった場合には、切換スイッチ１２が切換制御されて第２のダイバーシチブランチ７へのバッテリ供給が開始され動作を再開させるとともに、切換スイッチ１３が切換制御されて、第２のダイバーシチブランチ７の出力するベースバンド信号がレイク受信機９に入力される。
【００７７】
以上のように、上記構成の移動無線端末装置では、２つのダイバーシチブランチ６，７によるダイバーシチ受信で、設定中のサービスで要求される受信品質が得られる場合には、筐体内に内蔵している受信専用のアンテナ２に接続される第２のダイバーシチブランチ７の動作を停止させて、第１のダイバーシチブランチ６で受信したベースバンド信号に基づき、２つのレイク受信機８，９でレイク受信を行う。
【００７８】
そして、第１のダイバーシチブランチ６のみを用いたレイク受信で、設定中のサービスで要求される受信品質が得られない場合には、停止させていた第２のダイバーシチブランチ７を再び動作させて、２つのダイバーシチブランチ６，７によるダイバーシチ受信を行うようにしている。
【００７９】
したがって、上記構成の移動無線端末装置によれば、設定中のサービスで要求される受信品質が満たされる場合には、２系統のダイバーシチブランチのうち一方を停止させ、残る一方のみで受信を行うようにしているので、所望の受信品質が保たれつつ、バッテリ電力の節約を図ることができる。
【００８０】
また、この構成によれば、２つのダイバーシチブランチ６，７のうち、一方のブランチ７を停止させても、２つのレイク受信機８，９でレイク受信を行うため、基地局から送信される信号の符号多重数が多い場合でも、自装置宛ての信号を迅速に検出することができる。
【００８１】
そしてまた、例えば自装置に対して２つの符号が割り当てられて、２つのチャネルを通じて受信を行うような場合でも、１チャネルあたりのレイク受信機が目減りすることがないので、各チャネルで１チャネルを通じた受信と同じ品質の受信が行えるとともに、第２のダイバーシチブランチ７の消費電力を節約することができる。
【００８２】
なお、複数のチャネルを通じた通信としては、データ通信が考えられるが、この場合、移動を伴わないケースが多く、１つのアンテナで受信が行えれば十分である。
【００８３】
また、この発明は上記実施の形態に限定されるものではない。例えば、前述の第１の実施形態と第２の実施形態において、信号品質判定回路１１は、レイク受信機８、およびレイク受信機９の復調シンボルの合成結果に基づいて、受信品質を判定するようにしているが、これに代わり、レイク受信機８の復調シンボルの合成結果に基づいて、受信品質を判定するようにしてもよい。
【００８４】
このようにすれば、第２のダイバーシチブランチ７の動作を停止させ、レイク受信機９の出力に変動が生じても、信号品質判定回路１１への入力には変動が生じないため、安定した動作が期待できる。
【００８５】
図５は、この発明の第３の実施形態に係わる移動無線端末装置に搭載される、ダイバーシチ受信機の構成を示すものである。但し、図５において、前述の第２の実施形態のダイバーシチ受信機の構成を示す図４と同一部分には同一符号を付して示す。
【００８６】
このダイバーシチ受信機は、送信機（ＴＸ）４からの送信無線周波数信号が共用器（ＤＵＰ）３を通じて入力され、これを空間に放射するとともに、受信した受信無線周波信号を共用器３を通じて第１のダイバーシチブランチ（ＢＲ１）６に入力する第１のアンテナ１と、受信した受信無線周波信号をバンドパスフィルタ（ＢＰＦ）５を通じて第２のダイバーシチブランチ（ＢＲ２）７に入力する受信専用の第２のアンテナ２を有する。
【００８７】
また、図２に示すように、第１のアンテナ１は、送信にも使用するため一般に高いアンテナ利得が要求され、移動通信端末装置の外部に棒状に露出させるものを用いる。一方、第２のアンテナ２は、装置の小型化、取り扱いの容易さの観点から、装置の筐体内部に内蔵させる。
【００８８】
そして、第１のダイバーシチブランチ６は、第１のアンテナ１にて受信した無線周波信号に対して、増幅、周波数変換、フィルタリング等の高周波信号処理を施して、無線周波信号から所望の周波数の信号のみを取り出し、適切な信号レベルのベースバンド信号として、レイク受信機（ＲＡＫＥ１）８および切換スイッチ（ＤＩＶ−ＳＷ）１３の第１の入力端子に入力する。
【００８９】
第２のダイバーシチブランチ７は、第１のダイバーシチブランチ６と同様に、第２のアンテナ２にて受信した無線周波信号に対して、上記した高周波信号処理を施して、無線周波信号から所望の周波数の信号のみを取り出し、適切な信号レベルのベースバンド信号として、切換スイッチ１３の第２の入力端子に入力する。
【００９０】
なお、筐体内部に内蔵される第２のアンテナ２は、装置外部に露出させた第１のアンテナ１よりも利得が低いため、そのままでは所望のダイバーシチ利得を得ることができない。したがって、第２のダイバーシチブランチ７は、その受信感度性能を第１のダイバーシチブランチ６よりも向上させておく。
【００９１】
切換スイッチ１３は、後述の信号品質判定回路（ＱＬＴＹ）１１によって切換制御され、第１の入力端子あるいは第２の入力端子に入力されるベースバンド信号を選択的にレイク受信機９に入力する。
【００９２】
レイク受信機８は、パスサーチャ８１と、複数のフィンガ８２〜８ｎとを備える。パスサーチャ８１は、第１のダイバーシチブランチ６からのベースバンド信号から、マルチパス信号の分離を行った後、それらのＳ／Ｎ比を比較することにより、各マルチパス信号の中から有用なものを検出し、これを受信するタイミングを示すタイミング情報をフィンガ８２〜８ｎに割り当てる。
【００９３】
フィンガ８２〜８ｎは、パスサーチャ８１で割り当てられたタイミング情報に基づいて、それぞれ第１のダイバーシチブランチ６からのベースバンド信号を逆拡散処理して、復調シンボルを得る。フィンガ８２〜８ｎにてそれぞれ得られた復調シンボルは、シンボル合成器（ＣＯＭＢ）１０と信号品質判定部１００に入力される。
【００９４】
レイク受信機９も、レイク受信機８と同様に、パスサーチャ９１と、複数のフィンガ９２〜９ｎとを備え、切換スイッチ１３より入力されるベースバンド信号から、パスサーチャ９１が受信タイミングを検出し、この検出結果に従って、複数のフィンガ９２〜９ｎが上記ベースバンド信号より復調シンボルを再生し、シンボル合成回路１０に入力する。
【００９５】
シンボル合成回路１０は、上記各フィンガ８２〜８ｎ，９２〜９ｎにて受信されたベースバンド信号の受信タイミングずれを考慮して合成を行う。シンボル合成回路１０の合成出力は、図示しない後段の誤り訂正回路に入力される。
【００９６】
信号品質判定部１００は、当該端末装置の各部を統括して制御する制御部（図示しない）により、サービス（音声通信や、データ通信など）に応じた品質閾値とマルチパス数閾値とが予め設定されており、レイク受信機８のフィンガ８２〜８ｎにて復調された復調シンボルの各Ｓ／Ｎ比を測定し、この測定結果と上記品質閾値とをそれぞれ比較する。そして、この比較の結果、信号品質判定部１００は、上記品質閾値を越えるＳ／Ｎ比を有する復調シンボルの数が、上記マルチパス数閾値を越えるか否かを判定する。
【００９７】
そして、この比較の結果、上記マルチパス数閾値を越えない場合には、切換スイッチ１２を切換制御して第２のダイバーシチブランチ７をＯＦＦ制御するとともに、切換スイッチ１３を切換制御して、第１のダイバーシチブランチ６の出力するベースバンド信号をレイク受信機９に入力する。
【００９８】
一方、上記マルチパス数閾値以上となる場合には、切換スイッチ１２を切換制御して第２のダイバーシチブランチ７をＯＮ制御するとともに、切換スイッチ１３を切換制御して、第２のダイバーシチブランチ７の出力するベースバンド信号をレイク受信機９に入力する。
【００９９】
図６は、信号品質判定部１００の構成例を示す回路ブロック図である。
信号品質判定部１００は、信号品質判定回路（ＱＬＴＹ−ＳＵＢ）１１２〜１１ｎと、カウンタ（ＣＯＵＮＴ）１２０と、比較回路（ＣＭＰ）１３０とを備える。
【０１００】
信号品質判定回路１１２〜１１ｎは、図３に示した信号品質判定回路１１と同じもので、それぞれフィンガ８２〜８ｎに対応しており、対応するフィンガの復調シンボルが、前述のサービスに応じた品質閾値を越えているか否か判定する。
【０１０１】
カウンタ１２０は、信号品質判定回路１１２〜１１ｎの判定結果が入力され、上記品質閾値を越えていると判定したフィンガの数をカウントする。
比較回路１３０は、カウンタ１２０のカウント結果が入力され、このカウント結果を前述のマルチパス数閾値と比較する。
【０１０２】
そして、この比較の結果、上記マルチパス数閾値を越えない場合には、切換スイッチ１２を切換制御して第２のダイバーシチブランチ７をＯＦＦ制御するとともに、切換スイッチ１３を切換制御して、第１のダイバーシチブランチ６の出力するベースバンド信号をレイク受信機９に入力する。
【０１０３】
一方、上記マルチパス数閾値以上の場合には、切換スイッチ１２を切換制御して第２のダイバーシチブランチ７をＯＮ制御するとともに、切換スイッチ１３を切換制御して、第２のダイバーシチブランチ７の出力するベースバンド信号をレイク受信機９に入力する。
【０１０４】
次に、上記構成の移動無線端末装置の動作を以下に説明する。
通信が開始されると、送信機４からの送信信号が共用器３を通じてアンテナ１より空間に放射されるとともに、アンテナ１にて空間より受信した無線周波数信号が第１のダイバーシチブランチ６に入力されて、ベースバンド信号に変換され、レイク受信機８および切換スイッチ１３の第１の入力端子に入力される。
【０１０５】
同様に、通信開始初期においては、第２のダイバーシチブランチ７が動作状態にあり、アンテナ２にて空間より受信した無線周波数信号が第２のダイバーシチブランチ７に入力されて、ベースバンド信号に変換され、切換スイッチ１３の第２の入力端子に入力される。
【０１０６】
レイク受信機８では、第１のダイバーシチブランチ６からのベースバンド信号に対してレイク受信を行い、これにより復調された復調シンボルが、シンボル合成回路１０に入力される。
【０１０７】
レイク受信機９では、通信開始初期においては、第２のダイバーシチブランチ７からのベースバンド信号が切換スイッチ１３を通じて入力され、この信号に対してレイク受信を行い、これにより復調された復調シンボルが、シンボル合成回路１０に入力される。
【０１０８】
シンボル合成回路１０に入力されたレイク受信機８からの復調シンボル、およびレイク受信機９からの復調シンボルが合成され、後段の誤り訂正回路に入力される。
【０１０９】
信号品質判定部１００に入力された、フィンガ８２〜８ｎの復調シンボルは、ここでそれぞれ、その品質が判定される。
そして、品質判定の結果、品質閾値を越えるものの数が、マルチパス数閾値を越えない場合、すなわち多数の強勢なマルチパスによる干渉がなく、受信品質が現在のサービスの要求を満たすものである場合には、切換スイッチ１２を切換制御して第２のダイバーシチブランチ７をＯＦＦ制御するとともに、切換スイッチ１３を切換制御して、第１のダイバーシチブランチ６の出力するベースバンド信号をレイク受信機９に入力する。
【０１１０】
そして、このような第２のダイバーシチブランチ７のＯＦＦ制御の後、信号品質判定部１００が上記品質判定を行った結果、上記品質閾値を越える復調シンボルの数が、マルチパス数閾値以上となった場合、すなわち多数の強勢なマルチパスによる干渉が生じ、受信品質が現在のサービスの要求を満たさない場合には、切換スイッチ１２を切換制御して第２のダイバーシチブランチ７へのバッテリ供給を再開してＯＮ制御するとともに、切換スイッチ１３を切換制御して、第２のダイバーシチブランチ７の出力するベースバンド信号をレイク受信機９に入力する。
【０１１１】
以上のように、上記構成の移動無線端末装置では、２つのダイバーシチブランチ６，７によるダイバーシチ受信で、設定中のサービスで要求される受信品質が得られ、なおかつその品質の復調シンボルが得られるフィンガの数がマルチパス数閾値以下の場合に、筐体内に内蔵している受信専用のアンテナ２に接続される第２のダイバーシチブランチ７の動作を停止させて、第１のダイバーシチブランチ６で受信したベースバンド信号に基づき、２つのレイク受信機８，９でレイク受信を行う。
【０１１２】
そして、第１のダイバーシチブランチ６のみを用いたレイク受信で、設定中のサービスで要求される受信品質が得られなくなるか、あるいは得られてもフィンガの数がマルチパス数閾値を越える場合には、停止させていた第２のダイバーシチブランチ７を再び動作させて、２つのダイバーシチブランチ６，７によるダイバーシチ受信を行うようにしている。
【０１１３】
実フィールドにおいては、ビル街などにある移動無線端末装置が基地局からそれほど離れてはおらず十分な受信強度が得られる状況にあるにも係わらず、多数の強勢なマルチパス間の干渉によって受信品質が劣化する場合がある。この場合、一時的に良好な信号品質が得られても、受信機のダイバーシチ動作を停止させた場合、急激に信号品質が劣化する虞がある。
【０１１４】
しかし、この実施形態においては、前述のように、フィンガ８２〜８ｎの復調シンボルを監視、すなわちパス毎の品質を監視して、多数の強勢なマルチパスが存在する場合には、ダイバーシチ動作を停止するようにしているので、急激に信号品質が劣化する可能性が低い。
【０１１５】
また、上記構成の移動無線端末装置によれば、前述の第２の実施形態と同様に、所望の受信品質が保たれつつ、バッテリ電力の節約を図ることができ、基地局から送信される信号の符号多重数が多い場合でも、自装置宛ての信号を迅速に検出することができる。また、２つのチャネルを通じて受信を行うような場合でも、受信品質を劣化させることなく、第２のダイバーシチブランチ７の消費電力を節約することができる。
【０１１６】
尚、この発明は上記実施の形態に限定されるものではない。例えば、上述の実施形態において信号品質判定部１００は、フィンガ８２〜８ｎの復調シンボルについてのみ、その品質を監視するものとしたが、加えてフィンガ９２〜９ｎの復調シンボルについて監視するようにしてもよい。
【０１１７】
また、例えば、第２のダイバーシチブランチ７のＯＦＦ制御の判断条件として、最も強勢なパスのＳ／Ｎ比と、このパス以外のＳ／Ｎ比との差を計算し、この計算結果が予め定めた閾値を越えることを上記条件に加えてもよい。この条件を加えれば、第２のダイバーシチブランチ７のＯＦＦ制御して第１のダイバーシチブランチ６のみによる受信を行っても、急激に信号品質が劣化することがない。
【０１１８】
また、上述の第３の実施の形態では、マルチパス波の情報をフィンガ８２〜８ｎから得るようにしているが、これをパスサーチャ８１、あるいはパスサーチャ８１および９１から得るようにしてもよい。
【０１１９】
このような構成の場合、パスサーチャ８１、あるいはパスサーチャ８１および９１によって検出された、所定の受信品質が得られるパスの数が、制御部によって指定されるマルチパス数閾値より少ない場合に、第２のダイバーシチブランチ７をＯＦＦ制御するとともに、第１のダイバーシチブランチ６の出力するベースバンド信号をレイク受信機９に入力する。また、上記パスの数が、上記マルチパス数閾値以上になると、第２のダイバーシチブランチ７へのバッテリ供給を再開してＯＮ制御するとともに、第２のダイバーシチブランチ７の出力するベースバンド信号をレイク受信機９に入力する。
このような構成にすれば、回路の簡素化を図ることができる。
【０１２０】
また、上述の第１乃至第３のいずれの実施形態において、第２のダイバーシチブランチ７やレイク受信機９の動作制御を、予めユーザやシステムの基地局からの要求があった場合にのみ行うようにしてもよい。また、受信品質を基地局に通知し、この情報に基づいて基地局が上記要求を行うか否かを判断するようにしてもよい。これによれば、当該端末装置における制御負荷を軽減することができる。
【０１２１】
さらに、第２のダイバーシチブランチ７やレイク受信機９の動作制御を、当該端末装置のバッテリ残量が所定値を下回ったときにのみ行うようにしてもよい。
【０１２２】
その他、この発明の要旨を逸脱しない範囲で種々の変形を施しても同様に実施可能であることはいうまでもない。
【０１２３】
【発明の効果】
以上述べたように、この発明では、受信品質が、予め設定した品質以上である場合に、第２の信号処理手段へのバッテリ供給を停止して、その動作を停止させて、第１のアンテナ、第１の信号処理手段、および第１のレイク受信手段からなる受信系で受信を行うものであって、上記受信品質の判定は、第１のレイク受信手段のパスサーチ手段にて受信タイミングを検出する際に求めた、有用な受信パスのＳ／Ｎ比に基づいて行うようにしている。
【０１２４】
したがって、この発明によれば、受信品質が予め設定した品質未満である場合に限り、第２の信号処理手段へバッテリ供給を行って、２つの受信系によるダイバーシチ受信を行うので、受信品質が十分であるのもかかわらず、ダイバーシチ受信を行うといった無駄が省け、消費電力を節約することができ、また第１のレイク受信手段のパスサーチ手段にて受信タイミングを検出する際に求めた、有用な受信パスのＳ／Ｎ比に基づいて受信品質の判定を行うので、効率の良い判定を行える移動無線端末装置を提供できる。
【０１２５】
また、この発明では、受信品質が、予め設定した品質以上である場合に、第２の信号処理手段および第２のレイク受信手段へのバッテリ供給を停止して、その動作を停止させて、第１のアンテナ、第１の信号処理手段、および第１のレイク受信手段からなる受信系で受信を行うものであって、上記受信品質の判定は、第１のレイク受信手段のパスサーチ手段にて受信タイミングを検出する際に求めた、有用な受信パスのＳ／Ｎ比に基づいて行うようにしている。
【０１２６】
したがって、この発明によれば、受信品質が予め設定した品質未満である場合に限り、第２の信号処理手段および第２のレイク受信手段へバッテリ供給を行って、２つの受信系によるダイバーシチ受信を行うので、受信品質が十分であるのもかかわらず、ダイバーシチ受信を行うといった無駄が省け、消費電力を節約することができ、また第１のレイク受信手段のパスサーチ手段にて受信タイミングを検出する際に求めた、有用な受信パスのＳ／Ｎ比に基づいて受信品質の判定を行うので、効率の良い判定を行える移動無線端末装置を提供できる。
【０１２７】
そしてまた、この発明では、受信品質が、予め設定した品質以上である場合に、第２の信号処理手段および第２のレイク受信手段へのバッテリ供給を停止して、その動作を停止させてるとともに、第１のアンテナおよび第１の信号処理手段によって得た第１のベースバンド信号を、第１のレイク受信手段および第２のレイク受信手段にて、レイク受信するようにしている。
【０１２８】
したがって、この発明によれば、受信品質が予め設定した品質未満である場合に限り、第２の信号処理手段へバッテリ供給を行って、２つの受信系によるダイバーシチ受信を行うので、受信品質が十分であるのもかかわらず、ダイバーシチ受信を行うといった無駄が省け、消費電力を節約することができ、なおかつ十分な受信品質が得られる場合には、１つのベースバンド信号について２つのレイク受信機で受信を行うようにしているので、例えば基地局から送信される信号の符号多重数が多い場合でも、自装置宛ての信号を迅速に検出することが可能な移動無線端末装置を提供できる。
【図面の簡単な説明】
【図１】この発明に係わる移動無線端末装置の第１の実施の形態の構成を示す回路ブロック図。
【図２】図１に示した外部アンテナと内蔵アンテナの配置を説明するための図。
【図３】図１に示した信号品質判定回路の構成例を示す回路ブロック図。
【図４】この発明に係わる移動無線端末装置の第２の実施の形態の構成を示す回路ブロック図。
【図５】この発明に係わる移動無線端末装置の第３の実施の形態の構成を示す回路ブロック図。
【図６】図５に示した信号品質判定部の構成例を示す回路ブロック図。
【図７】従来の移動無線端末装置の構成を示す回路ブロック図。
【符号の説明】
１…外部アンテナ
２…内蔵アンテナ
３…共用器（ＤＵＰ）
４…送信機（ＴＸ）
５…バンドパスフィルタ（ＢＰＦ）
６…第１のダイバーシチブランチ（ＢＲ１）
７…第２のダイバーシチブランチ（ＢＲ２）
８…第１のレイク受信機
９…第２のレイク受信機
１０…シンボル合成回路（ＣＯＭＢ）
１１…信号品質判定回路（ＱＬＴＹ）
１２，１３…切換スイッチ（ＤＩＶ−ＳＷ）
８１，９１…パスサーチャ
８２〜８ｎ，９２〜９ｎ…フィンガ
１００…信号品質判定部（ＱＬＴＹ）
１１２〜１１ｎ…信号品質判定回路（ＱＬＴＹ−ＳＵＢ）
１２０…カウンタ（ＣＯＵＮＴ）
１２１…平均値回路（ＡＶＥ）
１２２，１２５…二乗回路（ＳＱＲ）
１２３…対数回路（ＬＯＧ）
１２４…誤差回路（ＥＲＲ）
１２６…累積回路
１２８…引き算回路（Ｘ−Ｙ）
１２９，１３０…比較回路（ＣＭＰ）
【図１】
0004160198.tif 000002
【図２】
0004160198.tif 000003
【図３】
0004160198.tif 000004
【図４】
0004160198.tif 000005
【図５】
0004160198.tif 000006
【図６】
0004160198.tif 000007
【図７】
0004160198.tif 000008